(57)【要約】【課題】暗号鍵を一元管理することなく情報を暗号化および復号化して不正コピーを防止する記録再生装置を提供する。【解決手段】暗号化／復号化部１５２と、暗号化／復号化部１５２を制御するシステム制御部ＣＮＴと、を備え、暗号化／復号化部１５２は、タイトルデータＴＬに対応したタイトル鍵ＴＫを発行するタイトル鍵発生部１５２Ａと、複数の記録媒体Ｈ毎のディスク鍵ＤｉＫを発行するディスク鍵発生部１５２Ｂと、デバイスに共通のデバイス鍵ＤｅＫを発行するデバイス鍵発生部１５２Ｃと、を有し、システム制御部ＣＮＴは、記録媒体Ｈに、暗号化タイトルデータＥＴＬ、暗号化タイトル鍵ＥＴＫ、および、ディスク鍵ＤｉＫのインデックスを含む情報を暗号化させた暗号化情報を記録し、不揮発性メモリＭに、暗号化ディスク鍵ＤｉＫ、および、暗号化デバイス鍵ＤｅＫを記録する手段と、を有する記録再生装置１５０。【選択図】    図２
2008252593.tif 000002
【特許請求の範囲】
【請求項１】
不揮発性メモリと複数の記録媒体とを接続可能な記録再生装置であって、
供給された情報を暗号化および復号化する暗号化／復号化部と、
前記暗号化／復号化部を制御するとともに、前記不揮発性メモリに電気的に接続されたシステム制御部と、を備え、
前記暗号化／復号化部は、供給されたタイトルデータに対応したタイトル鍵を発行するタイトル鍵発生部と、
前記複数の記録媒体のそれぞれに対応したディスク鍵を発行するディスク鍵発生部と、
デバイスに共通のデバイス鍵を発行するデバイス鍵発生部と、を有し
前記システム制御部は、前記記録媒体に、前記暗号化／復号化部において前記タイトル鍵によって暗号化させた前記タイトルデータ、前記暗号化／復号化部において前記ディスク鍵によって暗号化させた前記タイトル鍵、および、前記暗号化／復号化部において前記ディスク鍵のインデックスを含む情報を暗号化させた暗号化情報、を記録し、前記不揮発性メモリに、前記暗号化／復号化部において前記デバイス鍵によって暗号化させた前記ディスク鍵、および、前記暗号化／復号化部において暗号化させた前記デバイス鍵を記録する手段を有する記録再生装置。
【請求項２】
前記記録媒体には、前記タイトル鍵のインデックスがさらに記録されている請求項１記載の記録再生装置。
【請求項３】
前記暗号化情報は、前記暗号化／復号化部において前記ディスク鍵のインデックスと、前記記録媒体固有の情報と、を合わせて暗号化された情報である請求項１記載の記録再生装置。
【請求項４】
前記暗号化情報は、前記暗号化／復号化部において前記ディスク鍵のインデックスと、前記デバイスの固有の情報と、を合わせて暗号化された情報である請求項１記載の記録再生装置。
【請求項５】
前記暗号化情報は、前記暗号化／復号化部において前記ディスク鍵のインデックスと、前記記録媒体の固有の情報と、前記デバイスの固有の情報と、を合わせて暗号化された情報である請求項１記載の記録再生装置。
【請求項６】
前記暗号化情報は、前記暗号化／復号化部において、前記デバイス鍵によって暗号化された情報である請求項１記載の記録再生装置。
【請求項７】
不揮発性メモリと複数の記録媒体とを接続可能な記録再生装置を備えたデジタル放送受信記録再生装置であって、
送信されたデジタル放送信号を受信する受信部と、
前記受信部から供給されたデジタル放送信号に対して所定のデジタル処理を行う信号処理部と、
前記信号処理部から供給されたデジタルデータを表示部の表示形式に適合する表示信号として前記表示部に表示させる表示信号生成部と、
供給された情報を暗号化および復号化する暗号化／復号化部と、
前記暗号化／復号化部を制御するとともに、前記不揮発性メモリに電気的に接続されたシステム制御部と、を備え、
前記暗号化／復号化部は、供給されたタイトルデータに対応したタイトル鍵を発行するタイトル鍵発生部と、
前記複数の記録媒体のそれぞれに対応したディスク鍵を発行するディスク鍵発生部と、
デバイスに共通のデバイス鍵を発行するデバイス鍵発生部と、を有し
前記システム制御部は、前記記録媒体に、前記暗号化／復号化部において前記タイトル鍵によって暗号化させた前記タイトルデータ、前記暗号化／復号化部において前記ディスク鍵によって暗号化させた前記タイトル鍵、および、前記暗号化／復号化部において前記ディスク鍵のインデックスを含む情報を暗号化させた暗号化情報、を記録し、前記不揮発性メモリに、前記暗号化／復号化部において前記デバイス鍵によって暗号化させた前記ディスク鍵、および、前記暗号化／復号化部において暗号化させた前記デバイス鍵を記録する手段を有するデジタル放送受信記録再生装置。
【請求項８】
不揮発性メモリと複数の記録媒体に接続可能な記録再生装置における記録再生方法であって、
システム制御部は、暗号化／復号化部のタイトル鍵発生部に、供給されたタイトルデータに対応したタイトル鍵を発行させ、
前記暗号化／復号化部に前記タイトルデータをタイトル鍵で暗号化させて前記記録媒体に記録し、
前記暗号化／復号化部のディスク鍵発生部に、前記記録媒体のそれぞれに対応したディスク鍵を発行させ、
前記暗号化／復号化部に前記タイトル鍵を前記ディスク鍵で暗号化させて前記記録媒体に記録し、
前記暗号化／復号化部のデバイス鍵発生部において、デバイスに共通のデバイス鍵を発行させ、
前記暗号化／復号化部に前記ディスク鍵を前記デバイス鍵で暗号化させて前記不揮発性メモリに記録し、
前記暗号化／復号化部に前記ディスク鍵のインデックスを含む情報を暗号化して前記記録媒体に記録し、
前記暗号化／復号化部に前記デバイス鍵を暗号化させて前記不揮発性メモリに記録する記録再生方法。
【発明の詳細な説明】
【技術分野】
【０００１】
この発明は、記録再生装置、記録再生方法、およびデジタル放送受信記録再生装置に関し、特に不揮発性メモリと複数の記録媒体とに接続可能な記録再生装置、記録再生方法、デジタル放送受信記録再生装置に関する。
【背景技術】
【０００２】
近年、記録媒体としてのハードディスク、光ディスクなどの情報記録媒体は、その記憶容量が増大している。このために、これらの情報記録媒体を利用した記録再生装置を例えばテレビジョン受信機に接続し、所望の受信したデータを記録媒体に録画する方法及び装置がある。
【０００３】
従来、受信したデータを記録する際に記録再生装置に常時接続されたハードディスク上でコンテンツの暗号化等に用いる暗号鍵を一元管理する方法が提案されている（特許文献１参照）。
【特許文献１】特開２００４−２２０８５号公報
【発明の開示】
【発明が解決しようとする課題】
【０００４】
しかし、上記のように、記録再生装置に常時接続されたハードディスク上で暗号化に用いる暗号鍵を一元管理すると、常時接続されたハードディスクが接続されていないときに、他のハードディスクに記録されたデータを読み出すことができない場合があった。また、常時接続されたハードディスクに不具合があった場合に、他のハードディスクに記録されたデータも読み出せなくなる場合があった。
【０００５】
本発明は、上記の問題点に鑑みて成されたものであって、記録媒体上で暗号鍵を一元管理することなく、供給された情報を暗号化および復号化して情報が記録された記録媒体意外でのデータの再生を困難とする記録再生装置を提供することを目的とする。
【課題を解決するための手段】
【０００６】
本発明の第１態様による記録再生装置は、不揮発性メモリと複数の記録媒体とを接続可能な記録再生装置であって、供給された情報を暗号化および復号化する暗号化／復号化部と、前記暗号化／復号化部を制御するとともに、前記不揮発性メモリに電気的に接続されたシステム制御部と、を備え、前記暗号化／復号化部は、供給されたタイトルデータに対応したタイトル鍵を発行するタイトル鍵発生部と、前記複数の記録媒体のそれぞれに対応したディスク鍵を発行するディスク鍵発生部と、デバイスに共通のデバイス鍵を発行するデバイス鍵発生部と、を有し、前記システム制御部は、前記記録媒体に、前記暗号化／復号化部において前記タイトル鍵によって暗号化させた前記タイトルデータ、前記暗号化／復号化部において前記ディスク鍵によって暗号化させた前記タイトル鍵、および、前記暗号化／復号化部において前記ディスク鍵のインデックスを含む情報を暗号化させた暗号化情報、を記録し、前記不揮発性メモリに、前記暗号化／復号化部において前記デバイス鍵によって暗号化させた前記ディスク鍵、および、前記暗号化／復号化部において暗号化させた前記デバイス鍵を記録する手段を有する。
【０００７】
本発明の第２態様によるデジタル放送受信記録再生装置、不揮発性メモリと複数の記録媒体とを接続可能な記録再生装置を備えたデジタル放送受信記録再生装置であって、送信されたデジタル放送信号を受信する受信部と、前記受信部から供給されたデジタル放送信号に対して所定のデジタル処理を行う信号処理部と、前記信号処理部から供給されたデジタルデータを表示部の表示形式に適合する表示信号として前記表示部に表示させる表示信号生成部と、供給された情報を暗号化および復号化する暗号化／復号化部と、前記暗号化／復号化部を制御するとともに、前記不揮発性メモリに電気的に接続されたシステム制御部と、を備え、前記暗号化／復号化部は、供給されたタイトルデータに対応したタイトル鍵を発行するタイトル鍵発生部と、前記複数の記録媒体のそれぞれに対応したディスク鍵を発行するディスク鍵発生部と、デバイスに共通のデバイス鍵を発行するデバイス鍵発生部と、を有し、前記システム制御部は、前記記録媒体に、前記暗号化／復号化部において前記タイトル鍵によって暗号化させた前記タイトルデータ、前記暗号化／復号化部において前記ディスク鍵によって暗号化させた前記タイトル鍵、および、前記暗号化／復号化部において前記ディスク鍵のインデックスを含む情報を暗号化させた暗号化情報、を記録し、前記不揮発性メモリに、前記暗号化／復号化部において前記デバイス鍵によって暗号化させた前記ディスク鍵、および、前記暗号化／復号化部において暗号化させた前記デバイス鍵を記録する手段を有する。
【０００８】
本発明の第３態様による記録再生方法は、不揮発性メモリと複数の記録媒体に接続可能な記録再生装置における記録再生方法であって、システム制御部は、暗号化／復号化部のタイトル鍵発生部に、供給されたタイトルデータに対応したタイトル鍵を発行させ、前記暗号化／復号化部に前記タイトルデータをタイトル鍵で暗号化させて前記記録媒体に記録し、前記暗号化／復号化部のディスク鍵発生部に、前記記録媒体のそれぞれに対応したディスク鍵を発行させ、前記暗号化／復号化部に前記タイトル鍵を前記ディスク鍵で暗号化させて前記記録媒体に記録し、前記暗号化／復号化部のデバイス鍵発生部において、デバイスに共通のデバイス鍵を発行させ、前記暗号化／復号化部に前記ディスク鍵を前記デバイス鍵で暗号化させて前記不揮発性メモリに記録し、前記暗号化／復号化部に前記ディスク鍵のインデックスを含む情報を暗号化して前記記録媒体に記録し、前記暗号化／復号化部に前記デバイス鍵を暗号化させて前記不揮発性メモリに記録する。
【発明の効果】
【０００９】
この発明によれば、記録媒体上で暗号鍵を一元管理することなく、供給された情報を暗号化および復号化して情報が記録された記録媒体意外でのデータの再生を困難とする記録再生装置を提供することができる。
【発明を実施するための最良の形態】
【００１０】
以下、本発明の第１実施形態に係る記録再生装置、記録再生方法、およびデジタル放送受信記録再生装置について図面を参照して以下に説明する。
【００１１】
図１および図２に示すように、本実施形態に係るデジタル放送受信記録装置１は、薄型のキャビネット１２と、このキャビネット１２を起立させて支持する支持台１３とから構成されている。キャビネット１２には、例えば液晶表示パネル等でなる平面パネル型の表示部ＤＹＰ、スピーカ１５、操作部１６、リモートコントローラ（図示せず）から送信される操作情報を受ける受光部１８等が設置されている。
【００１２】
図２に示すように、本実施形態に係るデジタル放送受信記録再生装置１は、デジタル放送信号を受信する受信部１１０と、受信部１１０で受信されたデジタル放送信号が供給される信号処理部１２０と、信号処理部１２０からデジタル信号が供給される表示信号生成部１３０と、表示信号生成部１３０から表示信号が供給される表示部ＤＹＰと、記録再生装置１５０と、を有している。
【００１３】
受信部１１０は、デジタル放送信号を受信するためのアンテナＡＮＴを有しているとともに、バスラインＢＬを介してシステム制御部ＣＮＴに接続されている。信号処理部１２０は、受信部１１０から供給されたデジタル放送信号に対して、デジタル映像信号及び音声信号とする所定のデジタル信号処理を施し、表示信号生成部１３０に出力している。
【００１４】
表示信号生成部１３０は、入力されたデジタル映像信号を、表示部ＤＹＰで表示可能なフォーマットの映像信号に変換し、表示部ＤＹＰに出力して映像表示させるとともに、入力されたデジタル音声信号を、スピーカ１５で再生可能なフォーマットのアナログ音声信号に変換し、スピーカ１５に出力して音声再生させる。
【００１５】
ここで、このデジタル放送受信記録再生装置１は、上記した各種の受信動作を含むその全ての動作をシステム制御部ＣＮＴによって統括的に制御されている。
【００１６】
システム制御部ＣＮＴは、ＣＰＵ（Central Processing Unit）等を内蔵している。システム制御部ＣＮＴは、外部からの操作情報を受けたとき、または、リモートコントローラから送出された操作情報を受光部１８を介して受信したときに、その操作内容が装置に反映されるように各部をそれぞれ制御している。
【００１７】
この場合、システム制御部ＣＮＴは、主として、そのＣＰＵが実行する制御プログラムを格納したＲＯＭ（Read Only Memory）(図示せず)と、該ＣＰＵに作業エリアを提供するＲＡＭ（Random Access Memory）（図示せず）と、各種の設定情報及び制御情報等が格納される不揮発性メモリＭとを利用している。本実施形態に係るデジタル放送受信記録再生装置１は、不揮発性メモリＭ（ＮＶＲＡＭ：nonvolatile random-access memory）としてＥＥＰＲＯＭ／ＦｌａｓｈＲＯＭ等を用いている。
【００１８】
記録再生装置１５０は、暗号化／復号化部１５２と、記録媒体としての複数のハードディスクＨ（Ｈ１、Ｈ２、Ｈ３・・・）とを備えている。ハードディスクＨはそれぞれハードディスク制御部ＨＣＮＴ（ＨＣＮＴ１、ＨＣＮＴ２、ＨＣＮＴ３・・・）によってその動作を制御されている。
【００１９】
暗号化／復号化部１５２は、タイトル鍵発生部１５２Ａ、ディスク鍵発生部１５２Ｂ、およびデバイス鍵発生部１５２Ｃを有している。タイトル鍵発生部１５２Ａは、信号処理部１２０から供給されたタイトルデータＴＬを暗号化するタイトル鍵ＴＫを乱数的に生成する。ディスク鍵発生部１５２Ｂは、それぞれのハードディスクＨに対応したディスク鍵ＤｉＫを乱数的に生成する。デバイス鍵発生部１５２Ｃは、デジタル放送受信記録再生装置１固有のデバイス鍵ＤｅＫを乱数的に生成する。
【００２０】
すなわち、タイトル鍵ＴＫはタイトルデータ毎に異なり、ディスク鍵ＤｉＫはそれぞれのハードディスクＨに記録されたタイトル鍵ＴＫについて共通の鍵である。デバイス鍵ＤｅＫは、それぞれの記録再生装置に記録されるディスク鍵ＤｉＫについての共通の鍵である。
【００２１】
図３に示すように、タイトル鍵ＴＫは、タイトルデータＴＬの暗号化および暗号化タイトルデータＥＴＬの復号化に用いられる。ディスク鍵ＤｉＫは、タイトル鍵ＴＫの暗号化および暗号化タイトル鍵ＥＴＫの復号化に用いられる。デバイス鍵ＤｅＫは、ディスク鍵ＤｉＫの暗号化および暗号化ディスク鍵ＥＤｉＫの復号化に用いられる。
【００２２】
システム制御部ＣＮＴは、暗号化／復号化部１５２の動作を制御する記録再生制御部ＣＮＴＡを有している。記録再生制御部ＣＮＴＡは、タイトル鍵によって暗号化された暗号化タイトルデータ、およびディスク鍵によって暗号化された暗号化タイトル鍵を、例えば操作情報によって指定された同一のハードディスクＨ１に記録する。
【００２３】
さらに、暗号化／復号化部１５２においてディスク鍵のインデックスとなるＤｉｓｋＩＤを暗号化させ、暗号化情報ＥＩとして同一のハードディスクＨ１に記録する。
【００２４】
また、デバイス鍵によって暗号化された暗号化ディスク鍵、および、暗号化された暗号化デバイス鍵はバスラインＢＬおよびシステム制御部ＣＮＴを介して不揮発性メモリＭに記録する。
【００２５】
次に、上記のデジタル放送受信記録再生装置１の動作について図面を参照して以下に説明する。最初に、ハードディスクＨにタイトルデータを記録する際の動作について説明する。
【００２６】
信号処理部１２０から暗号化／復号化部１５２にタイトルデータＴＬが供給されると、記録再生制御部ＣＮＴＡの制御によって、暗号化／復号化部１５２のタイトル鍵発生部１５２Ａで、供給されたタイトルデータＴＬに対応したタイトル鍵ＴＫが乱数発生的に生成される。このタイトル鍵ＴＫによってタイトルデータＴＬが暗号化される（ＳＴＡ１）。
【００２７】
記録再生制御部ＣＮＴＡは、暗号化タイトルデータＥＴＬを操作情報によって指定されたハードディスクＨ１に記録する（ＳＴＡ２）。
【００２８】
ディスク鍵発生部１５２Ｂは、記録再生制御部ＣＮＴＡに制御され、タイトル鍵ＴＫが記録されるハードディスクＨ１に対応したディスク鍵ＤｉＫが存在しない場合にディスク鍵ＤｉＫを乱数発生的に生成し、このディスク鍵ＤｉＫによってタイトル鍵ＴＫを暗号化する（ＳＴＡ３）。
【００２９】
このとき、タイトル鍵ＴＫのインデックスとなるＫｅｙＩＤをハードディスクＨ１に暗号化タイトルデータＥＴＬと関連付けて記録しておいても良い。例えば、タイトルデータそのものにＫｅｙＩＤを埋め込む、あるいは、タイトルデータと関連付けたデータ（あるいはタイトルを構成するものが何かを示すデータ）にＫｅｙＩＤを埋め込んでおくことによって、タイトルを再生する際にタイトルデータを復号するタイトル鍵ＴＫを読み出すことが容易になる。なお、ＫｅｙＩＤは、ハードディスクＨ１に記憶されない場合であっても良いが、同じ場所に記録するほうが望ましい。
【００３０】
記録再生制御部ＣＮＴＡは、暗号化タイトル鍵ＥＴＫを暗号化タイトルデータＥＴＬが記録されたものと同一のハードディスクＨ１に記録する（ＳＴＡ４）。
【００３１】
デバイス鍵発生部１５２Ｃは、記録再生制御部ＣＮＴＡの制御によって、デジタル放送受信記録再生装置１毎に異なるデバイス鍵ＤｅＫが存在しない場合にデバイス鍵ＤｅＫを乱数発生的に生成し、このデバイス鍵ＤｅＫによってディスク鍵ＤｉＫを暗号化する（ＳＴＡ５）。
【００３２】
記録再生制御部ＣＮＴＡは、暗号化ディスク鍵ＥＤiＫをバスラインＢＬおよびシステム制御部ＣＮＴを介して不揮発性メモリＭに記録する（ＳＴＡ６）。
【００３３】
このとき、暗号化／復号化部１５２でディスク鍵ＤｉＫのインデックスとしてのＤｉｓｋＩＤが発行される。ＤｉｓｋＩＤは、暗号化され、暗号化情報ＥＩとしてハードディスクＨ１に保存する（ＳＴＡ７）。
【００３４】
ＤｉｓｋＩＤを暗号化する際には、例えばデバイス鍵発生部１５２Ｃによって乱数発生的に生成されたデバイス鍵ＤｅＫによって暗号化される。
【００３５】
記録再生制御部ＣＮＴＡは、暗号化／復号化部１５２にデバイス鍵を暗号化させ、暗号化デバイス鍵ＥＤｅＫをバスラインＢＬおよびシステム制御部ＣＮＴを介して不揮発性メモリＭに記録する（ＳＴＡ８）。
【００３６】
上記のように記録されたタイトルデータＴＬを読み出す際には、記録再生制御部ＣＮＴＡは、図５に示すように、まず不揮発性メモリＭから暗号化デバイス鍵を読み出して、暗号化／復号化部１５２で復号する（ＳＴＢ１）。
【００３７】
次に、ハードディスクＨ１から暗号化され他ＤｉｓｋＩＤとＤＴＶ固有の情報とを読み出して、暗号化／復号化部１５２で例えばデバイス鍵ＤｅＫによって復号する（ＳＴＢ２）。
【００３８】
暗号化／復号化部１５２は、復号されたＤｉｓｋＩＤに従って、暗号化ディスク鍵ＥＤｉＫを不揮発性メモリＭから読み出す。読み出された暗号化ディスク鍵ＥＤｉＫは、デバイス鍵ＤｅＫによって復号化される（ＳＴＢ３）。
【００３９】
例えば、デバイス鍵ＤｅＫによってＤｉｓｋＩＤが暗号化されている場合に、タイトルデータＴＬが不正にコピーされたハードディスクが別の記録再生装置に接続された場合には、デジタル放送受信記録再生装置１のデバイス鍵ＤｅＫで、暗号化情報ＥＩを復号することができなくなる。
【００４０】
暗号化／復号化部１５２は、ハードディスクＨ１から暗号化タイトル鍵ＥＴＫを読み出す。読み出された暗号化タイトル鍵ＥＴＫはディスク鍵ＤｉＫによって復号化される（ＳＴＢ４）。
【００４１】
さらに、暗号化／復号化部１５２は、ハードディスクＨ１から暗号化タイトルデータＥＴＬを読み出す。読み出された暗号化タイトルデータＥＴＬは、タイトル鍵ＴＫによって復号化される（ＳＴＢ５）。
【００４２】
このとき、例えば、ハードディスクＨ１にタイトル鍵ＴＫのインデックスとして記録されたＫｅｙＩＤに従ってタイトル鍵ＴＫに対応する暗号化タイトルデータＴＬを読み出すようにしても良い。
【００４３】
暗号化／復号化部１５２は、復号化したタイトルデータＴＬを信号処理部１２０に送信する。（ＳＴＢ６）信号処理部１２０は、供給されたタイトルデータＴＬに所定のデジタル処理を施し、表示信号生成部１３０に送信し、表示信号生成部１３０で、デジタルデータを表示部ＤＹＰの表示に対応したデータとして信号を生成し、表示部ＤＹＰに表示させる。
【００４４】
すなわち、上記のように、タイトルデータＴＬを記録する際の暗号化を行う鍵をハードディスクＨと不揮発性メモリとに分けて記録することによって、記録した記録再生装置１５０以外の装置によってハードディスクのタイトルデータが読み出されることを防止することができる。
【００４５】
また、タイトルデータＴＬを暗号化したタイトル鍵ＴＫを、同一のハードディスクＨに記録しているため、タイトルデータＴＬを記録・再生したいハードディスクのみが記録再生装置１５０に接続されていればタイトルデータＴＬを記録・再生することが可能である。
【００４６】
例えば、常時接続されたハードディスク上に、暗号に用いる鍵を一元管理している場合には、常時接続されたハードディスクが故障等の不具合があった場合に、他のハードディスクに記録されたタイトルデータも読み出すことができなくなることがあったが、上記のように暗号に用いる鍵をハードディスクＨと不揮発性メモリＭとに記録することによって、他のハードディスクＨに記録されたタイトルデータＴＬは読み出し可能となる。
【００４７】
また、ハードディスク毎に発行されたディスク鍵を使ってタイトルデータＴＬの記録処理を行っているため、タイトルデータＴＬを他のハードディスクに移動させる場合には、タイトルデータＴＬが記録されていたハードディスクＨのディスク鍵ＤｉＫを変更することにより、移動したタイトルを暗号化するタイトル鍵以外のタイトル鍵を変更した新しいディスク鍵ＤｉＫで再暗号化することによって、移動したタイトルを暗号化するタイトル鍵を安全に破棄することができる。また、移動したタイトルを暗号化するタイトル鍵ＫＴに無効な鍵データを上書きした後に変更後のディスク鍵ＤｉＫで再暗号化しても構わない。
【００４８】
上記のように、本実施形態に係る記録再生装置、この記録再生装置を有するデジタル放送受信記録再生装置、および記録再生方法によれば、常時接続されたハードディスク上で暗号鍵を一元管理することなく、コンテンツを暗号化および復号化してコンテンツの不正コピーを防止する記録再生装置、デジタル放送受信記録再生装置、および記録再生方法を提供することができる。
【００４９】
次に、本発明の第２実施形態に係る記録再生装置、この記録再生装置を有するデジタル放送受信記録再生装置、および記録再生方法について図面を参照して以下に説明する。なお、以下の説明において、上述の第１実施形態の場合と同様の構成については、同一の符号を付して説明を省略する。
【００５０】
本実施形態に係るデジタル放送受信記録再生装置１は、上述の第１実施形態に係るデジタル放送記録再生装置と、暗号化情報ＥＩの構成が異なっている。すなわち、図６に示すように、例えば操作情報によって指定されたハードディスクＨ１にはＤｉｓｋＩＤとＴＶ固有の情報とを合わせて暗号化した暗号化データが暗号化情報ＥＩとして記録されている。
【００５１】
ここで、ＤＴＶ固有の情報とは、例えば、デジタル放送受信記録再生装置１のシリアルナンバーや製造番号、型番、ＭＡＣアドレス等のデジタル放送受信記録再生装置１を他の装置と区別可能な情報である。
【００５２】
上記のデジタル放送受信記録再生装置１において、タイトルデータＴＬを記録する際には、記録再生制御部ＣＮＴＡは、図７に示すように、信号処理部１２０から暗号化／復号化部１５２にタイトルデータＴＬが供給されると、暗号化／復号化部１５２のタイトル鍵発生部１５２Ａで、供給されたタイトルデータＴＬに対応したタイトル鍵ＴＫが乱数発生的に発行する。このタイトル鍵ＴＫによってタイトルデータＴＬが暗号化される（ＳＴＣ１）。
【００５３】
記録再生制御部ＣＮＴＡは、暗号化タイトルデータＥＴＬを操作情報によって指定されたハードディスクＨ１に記録する（ＳＴＣ２）。
【００５４】
ディスク鍵発生部１５２Ｂは、記録再生制御部ＣＮＴＡに制御され、タイトル鍵ＴＫが記録されるハードディスクＨ１に対応したディスク鍵ＤｉＫが存在しない場合にディスク鍵ＤｉＫを乱数発生的に生成し、このディスク鍵ＤｉＫによってタイトル鍵ＴＫを暗号化する（ＳＴＣ３）。
【００５５】
記録再生制御部ＣＮＴＡは、暗号化タイトル鍵ＥＴＫを暗号化タイトルデータＥＴＬが記録されたものと同一のハードディスクＨ１に記録する（ＳＴＣ４）。
【００５６】
デバイス鍵発生部１５２Ｃは、記録再生制御部ＣＮＴＡの制御によって、デジタル放送受信記録再生装置１毎に異なるデバイス鍵ＤｅＫが存在しない場合にデバイス鍵Ｄｅｋを乱数発生的に生成し、このデバイス鍵ＤｅＫによってディスク鍵ＤｉＫを暗号化する（ＳＴＣ５）。
【００５７】
記録再生制御部ＣＮＴＡは、暗号化ディスク鍵ＥＤiＫをバスラインＢＬおよびシステム制御部ＣＮＴを介して不揮発性メモリＭに記録する（ＳＴＣ６）。
【００５８】
このとき、暗号化／復号化部１５２でディスク鍵ＤｉＫのインデックスとしてのＤｉｓｋＩＤが発行される。ＤｉｓｋＩＤは、デジタル放送受信記録再生装置（ＤＴＶ）固有の情報と合わせて暗号化され、暗号化情報ＥＩとしてハードディスクＨ１に保存する（ＳＴＣ７）。
【００５９】
ＤｉｓｋＩＤとＤＴＶ固有の情報とを合わせて暗号化する際には、例えばデバイス鍵発生部１５２Ｃによって乱数発生的に生成されたデバイス鍵ＤｅＫによって暗号化される。
【００６０】
記録再生制御部ＣＮＴＡは、暗号化／復号化部１５２にデバイス鍵を暗号化させ、暗号化デバイス鍵ＥＤｅＫをバスラインＢＬおよびシステム制御部ＣＮＴを介して不揮発性メモリＭに記録する（ＳＴＣ８）。
【００６１】
上記のように記録されたタイトルデータを読み出す際には、図８に示すように、まず不揮発性メモリＭから暗号化デバイス鍵ＥＤｅＫを読み出して、暗号化／復号化部１５２で復号化する（ＳＴＤ１）。
【００６２】
次に、ハードディスクＨ１から暗号化されたＤｉｓＩＤとＤＴＶ固有の情報とを読み出して、暗号化／復号化部１５２で例えばデバイス鍵ＤｅＫによって復号化する（ＳＴＤ２）。暗号化／復号化部１５２は、復号されたＤＴＶ固有情報が記録再生装置１５０の固有情報と一致するかどうか判定を行う（ＳＴＤ３）。一致しない場合はＤｉｓｋＩＤを使用不可とする（ＳＴＤ８）。
【００６３】
暗号化／復号化部１５２は、復号されたＤｉｓｋＩＤに従って、暗号化ディスク鍵ＥＤｉＫを不揮発性メモリＭから読み出す。読み出された暗号化ディスク鍵ＥＤｉＫは、デバイス鍵ＤｅＫによって復号化される（ＳＴＤ４）。
【００６４】
このとき、例えば、タイトルデータＴＬが不正にコピーされたハードディスクが接続されていた場合には、記録した装置と別の装置でＥＩを復号しようとした場合にはデバイス鍵ＤｅＫが異なる、あるいは、デバイス鍵ＤｅＫを持っていない為、暗号化情報ＥＩは復号できない。
【００６５】
暗号化／復号化部１５２は、ハードディスクＨ１から暗号化タイトル鍵ＥＴＫを読み出す。読み出された暗号化タイトル鍵ＥＴＫは復号化されたディスク鍵ＤｉＫによって復号化される（ＳＴＤ５）。
【００６６】
さらに、暗号化／復号化部１５２は、ハードディスクＨ１から暗号化タイトルデータＥＴＬを読み出す。読み出された暗号化タイトルデータＥＴＬは、タイトル鍵ＴＫによって復号化される（ＳＴＤ６）。
【００６７】
暗号化／復号化部１５２は、復号化したタイトルデータＴＬを信号処理部１２０に送信する。信号処理部１２０は、供給されたタイトルデータに所定のデジタル処理を施し、表示信号生成部１３０に送信し、表示信号生成部１３０で、デジタルデータを表示部ＤＹＰの表示に対応したデータとして信号を生成し、表示部ＤＹＰに表示させる（ＳＴＤ７）。
【００６８】
すなわち、本実施形態に係る記録再生装置、この記録再生装置を有するデジタル放送受信記録再生装置、および記録再生方法によれば、上述の第１実施形態に記録再生装置等と同様の効果を得ることができる。
【００６９】
次に、本発明の第３実施形態に係る記録再生装置、この記録再生装置を有するデジタル放送受信記録再生装置、および記録再生方法について図面を参照して以下に説明する。なお、以下の説明において、上述の第１実施形態の場合と同様の構成については、同一の符号を付して説明を省略する。
【００７０】
本実施形態に係るデジタル放送受信記録再生装置１は、上述の第１実施形態に係るデジタル放送記録再生装置と、ハードディスクＨに保存される暗号化情報ＥＩの構成が異なっている。
【００７１】
すなわち、図９に示すように、操作情報によって指定されたハードディスクＨ１にはＤｉｓｋＩＤと、ＨＤＤ固有の情報と、ＤＴＶ固有の情報とを合わせて暗号化した暗号化データが記録されている。ここで、ＨＤＤ固有の情報とは、例えばシリアルナンバーや型番等のハードディスクを区別することが可能な情報である。
【００７２】
上記のデジタル放送受信記録再生装置１において、タイトルデータＴＬを記録する際には、記録再生制御部ＣＮＴＡは、図１０に示すように、信号処理部１２０から暗号化／復号化部１５２にタイトルデータＴＬが供給されると、暗号化／復号化部１５２のタイトル鍵発生部１５２Ａで、供給されたタイトルデータＴＬに対応したタイトル鍵ＴＫが乱数発生的に発行する。このタイトル鍵ＴＫによってタイトルデータＴＬが暗号化される（ＳＴＥ１）。
【００７３】
記録再生制御部ＣＮＴＡは、暗号化タイトルデータＥＴＬを操作情報によって指定されたハードディスクＨ１に記録する（ＳＴＥ２）。
【００７４】
ディスク鍵発生部１５２Ｂは、記録再生制御部ＣＮＴＡに制御され、タイトル鍵ＴＫが記録されるハードディスクＨ１に対応したディスク鍵ＤｉＫが存在しない場合にディスク鍵ＤｉＫを乱数発生的に生成し、このディスク鍵ＤｉＫによってタイトル鍵ＴＫを暗号化する（ＳＴＥ３）。
【００７５】
記録再生制御部ＣＮＴＡは、暗号化タイトル鍵ＥＴＫを暗号化タイトルデータＥＴＬが記録されたものと同一のハードディスクＨ１に記録する（ＳＴＥ４）。
【００７６】
デバイス鍵発生部１５２Ｃは、記録再生制御部ＣＮＴＡの制御によって、デジタル放送受信記録再生装置１毎に異なるデバイス鍵ＤｅＫが存在しない場合にデバイス鍵ＤｅＫを乱数発生的に生成し、このデバイス鍵ＤｅＫによってディスク鍵ＤｉＫを暗号化する（ＳＴＥ５）。
【００７７】
記録再生制御部ＣＮＴＡは、暗号化ディスク鍵ＥＤiＫをバスラインＢＬおよびシステム制御部ＣＮＴを介して不揮発性メモリＭに記録する（ＳＴＥ６）。
【００７８】
このとき、暗号化／復号化部１５２でディスク鍵ＤｉＫのインデックスとしてのＤｉｓｋＩＤが発行される。記録再生制御部ＣＮＴＡは、ＤｉｓｋＩＤをＨＤＤ固有の情報とＤＴＶ固有の情報と合わせて暗号化して、暗号化情報ＥＩとしてハードディスクＨ１に保存する（ＳＴＥ７）。
【００７９】
ＤｉｓｋＩＤとＤＴＶ固有の情報とＨＤＤ固有の情報とを合わせて暗号化する際には、例えばデバイス鍵発生部１５２Ｃによって乱数発生的に生成されたデバイス鍵ＤｅＫによって暗号化される。ここで、ハードディスク固有の情報とは、例えばシリアルナンバーや型番等のハードディスクを区別することが可能な情報である。
【００８０】
記録再生制御部ＣＮＴＡは、暗号化／復号化部１５２にデバイス鍵を暗号化させ、暗号化デバイス鍵ＥＤｅＫをバスラインＢＬおよびシステム制御部ＣＮＴを介して不揮発性メモリＭに記録する（ＳＴＥ８）。
【００８１】
上記のように記録されたタイトルデータを読み出す際には、図１１に示すように、まず不揮発性メモリＭから暗号化デバイス鍵ＥＤｅＫを読み出して、暗号化／復号化部１５２で復号する（ＳＴＦ１）。
【００８２】
次に、ハードディスクＨ１から暗号化されたＤｉｓｋＩＤ、ＨＤＤ認証データ、およびＤＴＶ固有の情報を読み出して、暗号化／復号化部１５２で復号する（ＳＴＦ２）。暗号化／復号化部１５２は、復号されたＤＴＶ固有の情報が記録再生装置１５０のものと一致するかどうか判定を行う（ＳＴＦ３）。また続けてＨＤＤの固有情報がハードディスクＨ１の固有情報と一致するか判定を行う（ＳＴＦ４）。
【００８３】
このとき、ＤＴＶの固有情報が記録再生装置１５０の情報と異なる、あるいは、ＨＤＤの固有情報がハードディスクＨ１の情報と異なると判定された場合には、ＤｉｓｋＩＤを使用不可とする（ＳＴＦ９）。
【００８４】
ＤＴＶ固有情報とＨＤＤ固有情報が一致した場合には、ＤｉｓｋＩＤの使用が許可される。この場合には、暗号化／復号化部１５２は、復号されたＤｉｓｋＩＤに従って、暗号化ディスク鍵ＥＤｉＫを不揮発性メモリＭから読み出す。読み出された暗号化ディスク鍵ＥＤｉＫは、デバイス鍵ＤｅＫによって復号化される（ＳＴＦ５）。
【００８５】
暗号化／復号化部１５２は、ハードディスクＨ１から暗号化タイトル鍵ＥＴＫを読み出す。読み出された暗号化タイトル鍵ＥＴＫはディスク鍵ＤｉＫによって復号化される（ＳＴＦ６）。
【００８６】
次に、暗号化／復号化部１５２は、ハードディスクＨ１から暗号化タイトルデータＥＴＬを読み出す。読み出された暗号化タイトルデータＥＴＬは、すでに復号化されたタイトル鍵ＴＫによって復号化される（ＳＴＦ７）。
【００８７】
暗号化／復号化部１５２は、復号化されたタイトルデータＴＬを信号処理部１２０に送信する（ＳＴＦ８）。信号処理部１２０は、供給されたタイトルデータに所定のデジタル処理を施し、表示信号生成部１３０に送信し、表示信号生成部１３０で、デジタルデータを表示部ＤＹＰの表示に対応したデータとして信号を生成し、表示部ＤＹＰに表示させる。
【００８８】
すなわち、本実施形態に係る記録再生装置、この記録再生装置を有するデジタル放送受信記録再生装置、および記録再生方法によれば、上述の第１実施形態に記録再生装置等と同様の効果を得ることができる。さらに、ハードディスクＨに、ディスク鍵ＤｉＫのインデックスとなるＤｉｓｋＩＤをＨＤＤ固有の情報とともに暗号化して記録することによって、コンテンツデータが不正にコピーされたハードディスクＨからコンテンツデータが再生されることを防止することができる。
【００８９】
なお、この発明は、上記実施形態そのままに限定されるものではなく、実施段階ではその要旨を逸脱しない範囲で構成要素を変形して具体化できる。
【００９０】
例えば、上記の実施形態に係るデジタル放送受信記録再生装置１の記録再生装置１５０はハードディスクＨを有していたが、このハードディスクＨは記録再生装置１５０にＬＡＮ等のネットワークを介して接続されるハードディスクであってもよい。
【００９１】
例えば、デジタル放送受信記録再生装置１が複数の接続端子、例えば、ＬＡＮ（Local Area Network）端子、ＵＳＢ（Universal Serial Bus）端子及びｉ．Link（登録商標）端子等を備えている場合、このうちの例えばＬＡＮ端子は、ＬＡＮ対応ＨＤＤ専用ポートとして使用されてもよい。この場合には、ＬＡＮ端子に接続されたＬＡＮ対応のＨＤＤに対して、イーサネット（登録商標）により情報の記録再生を行なうために使用される。
【００９２】
また、ＬＡＮ端子に例えばハブを介して、ＬＡＮ対応のＨＤＤ、ＰＣ（Personal Computer）、ＨＤＤ内蔵のＤＶＤ（Digital Versatile Disk）レコーダ等の機器を接続し、これらの機器と情報伝送を行なうために使用されてもよい。また、ＵＳＢ端子は、例えばハブを介してＨＤＤを接続し、これらの機器と情報伝送を行なうために使用されてもよい。ｉ．Link（登録商標）端子は、例えばＡＶ−ＨＤＤ４１、Ｄ（Digital）−ＶＨＳ（Video Home System）等をシリアル接続し、これらの機器と情報伝送を行なうために使用されてもよい。
【００９３】
上記のように、接続端子にハードディスクを接続して、そのハードディスクにタイトルデータを記録するようにしても、上記の実施形態に係る記録再生装置等と同様の効果を得ることができる。
【００９４】
また、上記の実施形態に記載された記録再生装置１５０の暗号化／復号化部１５２では、ＤｉｓｋＩＤを他の情報とともに暗号化する際にデバイス鍵ＤｅＫを用いていたが、デバイス鍵ＤｅＫに限らず他の暗号鍵を用いてもよい。その場合にも、デバイス鍵Ｄｅｋと同様に、記録再生装置１５０個別の鍵を用いることによって、上述の実施形態に係るデジタル放送受信記録再生装置１と同様の効果を得ることができる。
【００９５】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００９６】
【図１】本発明の一実施形態に係るデジタル放送受信記録再生装置の外観の一例を概略的に説明するための図。
【図２】本発明の第１実施形態に係るデジタル放送受信記録再生装置の構成の一例を説明するための図。
【図３】図２に示すデジタル放送受信記録再生装置で用いる暗号鍵の種類の例について説明するための図。
【図４】図２に示すデジタル放送受信記録再生装置におけるタイトルデータの記録動作の一例について説明するための図。
【図５】図２に示すデジタル放送受信記録再生装置におけるタイトルデータの再生動作の一例について説明するための図。
【図６】本発明の第２実施形態に係るデジタル放送受信記録再生装置の構成の一例を説明するための図。
【図７】図６に示すデジタル放送受信記録再生装置におけるタイトルデータの録動作の一例について説明するための図。
【図８】図６に示すデジタル放送受信記録再生装置におけるタイトルデータの再生動作の一例について説明するための図。
【図９】本発明の第３実施形態に係るデジタル放送受信記録再生装置の構成の一例を説明するための図。
【図１０】図９に示すデジタル放送受信記録再生装置におけるタイトルデータの記録動作の一例について説明するための図。
【図１１】図９に示すデジタル放送受信記録再生装置におけるタイトルデータの再生動作の一例について説明するための図。
【符号の説明】
【００９７】
ＣＮＴ…システム制御部、Ｍ…不揮発性メモリ、Ｈ…ハードディスク、ＴＬ…タイトルデータ、ＴＫ…タイトル鍵、ＤｉＫ…ディスク鍵、ＤｅＫ…デバイス鍵、ＥＴＬ…暗号化タイトルデータ、ＥＴＫ…暗号化タイトル鍵、ＥＤｉＫ…暗号化ディスク鍵、ＥＤｅＫ…暗号化デバイス鍵、ＣＮＴＡ…記録再生制御部、ＥＩ…暗号化情報、１…デジタル放送受信記録再生装置、１５０…記録再生装置、１５２…暗号化／復号化部、１５２Ｂ…ディスク鍵発生部、１５２Ａ…タイトル鍵発生部、１５２Ｃ…デバイス鍵発生部
【図１】
2008252593.tif 000003
【図２】
2008252593.tif 000004
【図３】
2008252593.tif 000005
【図４】
2008252593.tif 000006
【図５】
2008252593.tif 000007
【図６】
2008252593.tif 000008
【図７】
2008252593.tif 000009
【図８】
2008252593.tif 000010
【図９】
2008252593.tif 000011
【図１０】
2008252593.tif 000012
【図１１】
2008252593.tif 000013